(57)【要約】【課題】隣接セル間の干渉をランダム化するためのリソース割当方法、装置を提供する。【解決手段】単一キャリア周波数分割多重接続（ＳＣ-ＦＤＭＡ）通信システムにおけるリソースを割り当てる装置及び方法を提供する。上記装置及び方法は、少なくとも２つのサブ帯域が定義される周波数軸上で、端末のためのリソースユニットに対して、所定のホッピング時点ごとに上記サブ帯域間のホッピングを実行するか否か及びミラーリングを実行するか否かをセル別に決定し、上記決定に従って端末のためのリソースユニットに対してサブ帯域間のホッピング及びミラーリングを選択的に遂行することによりリソースユニットを選択し、上記選択されたリソースユニットを上記端末に割り当てる。【選択図】図５Ａ
2014180063.tif 000002
【特許請求の範囲】
【請求項１】
通信システムにおける基地局がデータを受信する方法であって、
リソース割当て情報を端末に送信するステップと、
前記端末に送信したリソース割当て情報に基づいて決定された前記端末のホッピングを実行するか否か及びミラーリングを実行するか否かによって、前記端末からデータを受信するために使用されるリソースを決定するステップと、
前記決定されたリソースを通じて前記データを受信するステップと、
前記受信されたデータをデコーディングするステップと、
を含み、
前記ホッピングは、サブ帯域間のホッピングであり、前記ミラーリングは、サブ帯域内のミラーリングであることを特徴とするデータ受信方法。
【請求項２】
前記ミラーリングを遂行するか否かは、セル別ランダムシーケンスに基づいて決定されることを特徴とする請求項１に記載のデータ受信方法。
【請求項３】
前記ホッピング及びミラーリングを遂行するか否かは、前記データの受信時点に決定されることを特徴とする請求項１に記載のデータ受信方法。
【請求項４】
前記ホッピング及びミラーリングは、スロットとサブフレームのうち、少なくとも一つの区間で遂行される
ことを特徴とする請求項１に記載のデータ受信方法。
【請求項５】
通信システムにおける端末（ＵＥ）からデータを受信する基地局装置であって、
前記端末にリソースを割り当て、リソース割当て情報を送信し、前記端末からデータを受信するために使用されるリソースを決定するスケジューラと、
前記端末から前記決定されたリソースを通じて受信されたデータをデマッピングするデマッパーと、
前記デマッピングされたデータをデコーディングするデコーダと、
を有し、
前記スケジューラは、前記端末に送信したリソース割当て情報に基づいて決定された前記端末のホッピング及びミラーリングを実行するか否かに従って、前記データを受信するために使用されるリソースを決定し、
前記ホッピングは、サブ帯域間のホッピングであり、前記ミラーリングは、サブ帯域内のミラーリングであることを特徴とする基地局装置。
【請求項６】
前記ミラーリングを遂行するか否かは、セル別ランダムシーケンスに基づいて決定されることを特徴とする請求項５に記載の基地局装置。
【請求項７】
前記スケジューラは、前記データの受信時点に前記ホッピング及びミラーリングを遂行するか否かを決定することを特徴とする請求項５に記載の基地局装置。
【請求項８】
前記ホッピング及びミラーリングは、スロットとサブフレームのうち、少なくとも一つの区間で遂行されることを特徴とする請求項５に記載の基地局装置。
【発明の詳細な説明】
【技術分野】
【０００１】
本発明は、単一キャリア周波数分割多重接続（Single Carrier Frequency Division Multiple Access：以下、“ＳＣ-ＦＤＭＡ”と称する。）無線通信システムにおいて、パケットデータチャネル及び制御チャネルが同一の送信期間で送信される際に制御チャネル送信リソースを効率的に割り当てる方法及び装置に関する。
【背景技術】
【０００２】
図１は、ＳＣ-ＦＤＭＡシステムの中でＬＦＤＭＡ（Localized FDMA）システムにおける送信器の構成を示すブロック図である。図１は、この送信器が離散フーリエ変換（Discrete Fourier Transform：以下、“ＤＦＴ”と称する。）及び逆高速フーリエ変換（Inverse Fast Fourier Transform：以下、“ＩＦＦＴ”と称する。）を使用した方法の例を挙げたが、その他にも、他の送信器の実現方法が可能である。
【０００３】
図１を参照すると、ＤＦＴ及びＩＦＦＴの使用は、低いハードウェア複雑度でＬＦＤＭＡシステムパラメータの変更を容易にする。直交周波数分割多重化（Orthogonal Frequency Division Multiplexing：以下、“ＯＦＤＭ”と称する。）とＳＣ-ＦＤＭＡとの間の差を送信器の構成の観点で見ると、ＬＦＤＭＡ送信器は、ＯＦＤＭ送信器において多重搬送波の送信に使用されるＩＦＦＴプロセッサー１０２の前端に、ＤＦＴプリコーダー１０１をさらに含む。図１において、送信（ＴＸ）変調シンボル１０３は、ブロック単位でＤＦＴ１０１に入力される。ＤＦＴの出力は、連続するサブキャリアで構成された帯域でＩＦＦＴ入力にマッピングされる。マッパー（Mapper）１０４は、送信変調シンボルを実際の周波数帯域にマッピングする機能を果たす。
【０００４】
図２は、従来のＳＣ-ＦＤＭＡシステムにおける端末（User Equipment：以下、“ＵＥ”と称する。）が任意に割り当てられたリソースを介してデータを送信する一例を示す図である。
【０００５】
図２を参照すると、１つのリソースユニット（Resource Unit：以下、“ＲＵ”と称する。）２０１は、周波数領域では１つ又は複数のサブキャリアにより定義され、時間領域では１つ又は複数のＳＣ-ＦＤＭＡシンボルにより定義される。
【０００６】
データ送信のために、斜線で表示された２つのＲＵは、ＵＥ１に割り当てられ、点で表示された３つのＲＵは、ＵＥ２に割り当てられる。
【０００７】
ＵＥ１及びＵＥ２がデータを送信するのに使用するＲＵは、時間的には固定され、所定の周波数帯域を連続的に使用している。このようなリソース割当方式又はデータ送信方式は、チャネル状態が良い周波数リソースを各ＵＥに選択的に割り当てることにより、限定されたシステムリソースを介してシステム性能を最大にする。例えば、斜線で表示されたブロックは、他の周波数帯域に比べてよい無線チャネル特性をＵＥ１に提供し、他方、点で表示されたブロックは、他の周波数帯域に比べてよい無線チャネル特性をＵＥ２に提供する。さらによいチャネル応答を有するリソースの選択的な割当てを、通常、周波数選択性リソース割当て又は周波数選択性スケジューリングと呼ぶ。上述したように、ＵＥから基地局（Ｎｏｄｅ Ｂ）へのアップリンクデータ送信を例を挙げて説明したが、この周波数選択性スケジューリングは、基地局からＵＥへのダウンリンクデータ送信にも適用され得る。ダウンリンクの場合にも、斜線及び点で表示されたＲＵは、基地局がＵＥ１及びＵＥ２にデータを送信する際に使用するリソースを示す。
【０００８】
しかしながら、この周波数選択性スケジューリングは、常に効率的ではない。例えば、高速で移動するＵＥの場合には、チャネル状態が速く変化するために、この周波数選択性スケジューリングは、容易でない。さらに具体的に、基地局スケジューラが、所定の時間で、チャネル状態が相対的によい周波数帯域を所定のＵＥに割り当てるが、ＵＥが基地局からリソース割当情報を受信し、この割り当てられたリソースを介してデータを送信する際に、ＵＥは、すでに大きく変わったチャネル環境に置かれる。したがって、この選択された周波数帯域は、ＵＥに対して相対的によいチャネル状態であることを保証することができない。
【０００９】
ボイスオーバーインターネットプロトコル（Voice over Internet Protocol：ＶｏＩＰ）サービスのように、データの送信のために少量の周波数リソースを継続して必要とする場合にも、ＵＥが周波数選択性スケジューリングのためにそのチャネル状態を通知すると、シグナリングオーバーヘッドが大きくなり得る。この場合に、周波数選択性スケジューリングよりは、周波数ホッピング方式を使用することがさらに効率的である。
【００１０】
図３は、従来のＦＤＭＡシステムにおける周波数ホッピングを示す図である。
【００１１】
図３を参照すると、データの送信のために１つのＵＥに割り当てられた周波数リソースは、経時変化する。このような周波数ホッピングは、データ送信の間にチャネル品質及び干渉をランダムにする効果を有する。言い換えれば、データが時とともに変化する周波数リソースで送信されるため、このデータは、時点ごとに異なるチャネル特性を有し、隣接セル内の異なるＵＥは、データと干渉し、したがって、ダイバーシティ効果を得る。
【００１２】
しかしながら、図３に示すようなＳＣ-ＦＤＭＡシステムにおいて、ＲＵが独立したパターンでホッピングする場合に、周波数ホッピングを実行することが難しい。例えば、ＲＵ３０１及び３０２が異なるＵＥに割り当てられると、問題にならない。しかしながら、ＲＵ３０１及び３０２のすべてが１つのＵＥに割り当てられると、これらは、次の送信時点で周波数ホッピングによりＲＵ３０３及びＲＵ３０４の位置にホッピングする。ＲＵ３０３及びＲＵ３０４が連続的なＲＵではないために、ＵＥは、これら２つのＲＵでデータを送信することができない。
【００１３】
これに関連して、ＳＣ-ＦＤＭＡシステムでは、周波数ダイバーシティを得るために、周波数ホッピング方法と置き換えるミラーリング（Mirroring）方法が提案された。
【００１４】
図４は、ミラーリングを示した図である。
【００１５】
従来では、ＲＵは、データ送信に使用可能な全周波数帯域の中心周波数を基準にして対称的に移動する。例えば、セルＡにおける次の送信時点で、ＲＵ４０１は、ＲＵ４０３にミラーリングされ、ＲＵ４０２は、ＲＵ４０４にミラーリングされる。同一の方法で、セルＢにおける次の送信時点で、ＲＵ４０５は、ＲＵ４０６にミラーリングされる。このようなミラーリングは、連続的なＲＵを途切れなくホッピングするようにし、これにより、周波数ホッピングの間に単一のキャリア特性（single carrier property）を満足しつつ周波数ホッピングを可能にする。
【００１６】
しかしながら、周波数ダイバーシティを得るための周波数ホッピング方法は、中心周波数を基準にしたミラーリングなしにＲＵの位置を移動させる方法がないため、ホッピングパターンが固定される短所がある。このような方法は、周波数ダイバーシティをある程度得ることができるが、干渉ランダム化が難しいことを意味する。反対側にホッピングされたＲＵがミラーリングによりその元来のＲＵ位置に戻るために、適用可能なＲＵ移動パターンは、１つしかない。したがって、複数のセルが存在する場合にも、各セルは、異なるパターンを有することができない。
【００１７】
図４を参照すると、所定の時間の間に、点で表示されたＲＵ４０２がセルＡでＵＥに割り当てられ、１本の斜線で表示されたＲＵ４０５がセルＢでＵＥに割り当てられる場合に、１つのホッピングパターンだけがミラーリング方式で使用可能であるために、セルＡのＵＥは、セルＢのＵＥと干渉する。セルＢのＵＥがセルＡの近くに存在する場合に、これは、セルＡのＵＥに大きな干渉を引き起こす。その結果、点で表示されたＲＵを使用するセルＡのＵＥは、受信品質が悪くなる。
【先行技術文献】
【特許文献】
【００１８】
【特許文献１】特表２００９−５４４１８９号公報
【発明の概要】
【発明が解決しようとする課題】
【００１９】
したがって、本発明は、上述した従来技術の問題点を解決するために提案されたものであり、その目的は、周波数ダイバーシティを得るためにミラーリング方式を使用する場合に、隣接セル間の干渉をランダム化するためのリソース割当方法及び装置を提供することにある。
【００２０】
本発明の他の目的は、セル別に異なるミラーリングオン／オフパターンに従って、ホッピング時点ごとにミラーリングを実行するか否かを決定し、これを使用する送受信装置を提供することにある。
【００２１】
本発明のさらなる目的は、周波数ホッピングが周波数ダイバーシティ効果を増加させるために支援可能な場合に、セル別に異なるパターンに従って、ホッピング時点ごとに周波数ホッピング及びミラーリングを実行するか否かを決定し、これを使用する送受信装置を提供することにある。
【課題を解決するための手段】
【００２２】
上記のような目的を達成するために、本発明の実施形態の一態様によれば、単一キャリア周波数分割多重接続（ＳＣ-ＦＤＭＡ）通信システムにおける端末（ＵＥ）にリソースを割り当てる方法を提供する。上記方法は、少なくとも２つのサブ帯域が定義される周波数軸上で、端末のためのリソースユニットに対して、所定のホッピング時点ごとに上記サブ帯域間のホッピングを実行するか否か及びミラーリングを実行するか否かをセル別に決定するステップと、上記決定に従って、上記端末のためのリソースユニットに対して上記サブ帯域間のホッピング及びミラーリングを選択的に実行することによりリソースユニットを選択し、上記選択されたリソースユニットを上記端末に割り当てるステップと、を有することを特徴とする。
【００２３】
本発明の実施形態の他の態様によれば、単一キャリア周波数分割多重接続（ＳＣ-ＦＤＭＡ）通信システムにおける基地局からリソースの割当を受ける方法を提供する。上記方法は、少なくとも２つのサブ帯域が定義される周波数軸上で、端末のためのリソースユニットに対して、所定のホッピング時点ごとに前記サブ帯域間のホッピングを実行するか否か及びミラーリングを実行するか否かを決定するステップと、上記決定に従って、上記端末のためのリソースユニットに対して上記サブ帯域間のホッピング及びミラーリングを選択的に実行することによりリソースユニットを選択し、上記選択されたリソースユニットを用いてデータを上記基地局に送信するステップと、を有することを特徴とする。
【００２４】
本発明の実施形態のさらに他の態様によれば、単一キャリア周波数分割多重接続（ＳＣ-ＦＤＭＡ）通信システムにおける端末（ＵＥ）にリソースを割り当てる基地局装置を提供する。上記基地局装置は、少なくとも２つのサブ帯域が定義される周波数軸上で、端末のためのリソースユニットに対して、所定のホッピング時点ごとに上記サブ帯域間のホッピングを実行するか否か及びミラーリングを実行するか否かをセル別に決定し、上記決定に従って、上記端末のためのリソースユニットに対して上記サブ帯域間のホッピング及びミラーリングを選択的に実行することにより、上記端末に割り当てられるリソースユニットを選択するスケジューラと、上記スケジューラから受信された上記選択されたリソースユニットに関する情報に従って、上記端末から受信されたデータを分類するマッパーと、上記分類されたデータをデコーディングするデコーダと、を有することを特徴とする。
【００２５】
本発明の実施形態のさらなる他の態様によれば、単一キャリア周波数分割多重接続（ＳＣ-ＦＤＭＡ）通信システムにおける基地局にデータを送信する端末（ＵＥ）装置を提供する。前記端末装置は、少なくとも２つのサブ帯域が定義される周波数軸上で、端末のためのリソースユニットに対して、所定のホッピング時点ごとに上記サブ帯域間のホッピングを実行するか否か及びミラーリングを実行するか否かをセル別に決定するデータ送信制御器と、データを、上記決定に従って上記端末のリソースユニットに対して上記サブ帯域間のホッピング及びミラーリングを選択的に実行することにより選択されたリソースユニットにマッピングし、上記マッピングされたデータを前記基地局に送信するマッパーと、を有することを特徴とする。
【発明の効果】
【００２６】
セル別に異なるミラーリングオン／オフパターンに従って、ホッピング時点ごとにミラーリングのオン又はオフを行うことにより、周波数ダイバーシティ効果を増加させつつセル間の干渉を有利にランダム化することができる。
【図面の簡単な説明】
【００２７】
【図１】ＳＣ-ＦＤＭＡシステムのタイプである従来のＬＦＤＭＡシステムにおける送信器のブロック図である。
【図２】従来のＳＣ-ＦＤＭＡシステムにおけるＵＥが任意の割り当てられたリソースを介してデータを送信する一例を示す図である。
【図３】従来のＦＤＭＡシステムにおける周波数ホッピング方式の一例を示す図である。
【図４】ミラーリングを説明するための図である。
【図５Ａ】本発明の第１の実施形態による方法を説明するための図である。
【図５Ｂ】本発明の第１の実施形態による方法を説明するための図である。
【図６】本発明の第１の実施形態によるＵＥ又は基地局内のＲＵを選択するための動作を示すフローチャートである。
【図７】本発明の第１の実施形態によるＵＥの構成を示すブロック図である。
【図８】本発明の第１の実施形態による基地局の構成を示すブロック図である。
【図９】本発明の第２の実施形態によるチャネル構成を示す図である。
【図１０Ａ】本発明の第２の実施形態による方法を説明するための図である。
【図１０Ｂ】本発明の第２の実施形態による方法を説明するための図である。
【図１０Ｃ】本発明の第２の実施形態による方法を説明するための図である。
【図１０Ｄ】本発明の第２の実施形態による方法を説明するための図である。
【図１１】本発明の第２の実施形態によるＵＥ又は基地局内のＲＵを選択するための動作を示すフローチャートである。
【図１２】本発明の第３の実施形態によるチャネル構成を示す図である。
【図１３】本発明の第３の実施形態によりＨＡＲＱと関係なしにミラーリングを実行する方法を示す図である。
【図１４】本発明の第３の実施形態によりＨＡＲＱプロセス別にミラーリングを実行する方法を示す図である。
【図１５】本発明の第４の実施形態によりＨＡＲＱプロセス別にミラーリングを実行する方法を示す図である。
【発明を実施するための形態】
【００２８】
本発明の詳細な構成および要素のような本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２９】
本発明の実施形態は、アップリンクＳＣ-ＦＤＭＡシステムにおいて、単一キャリア特性を満足しつつ周波数ダイバーシティ特性を得るために、一般的な周波数ホッピング又はミラーリング方式により所定の時点ごとに異なるＲＵでデータを送信する場合に、セル間の干渉のランダム化を増加させるための方法を提供する。
【００３０】
本発明のさらなる理解のために、次のようにデータチャネルを定義する。
【００３１】
周波数スケジューリング（ＦＳ）帯域：周波数選択性スケジューリングにより割り当てられたＲＵの集合であって、連続的なＲＵで構成されるか、又は連続せずに分散されたＲＵの集合で構成されることができる。
【００３２】
周波数ホッピング（ＦＨ）帯域：周波数ダイバーシティを得るために送信されたＲＵの集合であって、これらのＲＵは、周波数選択性スケジューリングにより割り当てられない。ＦＨ帯域は、連続的なＲＵで構成されるか、又は連続せずに分散されたＲＵの集合で構成されることができる。ＦＨ帯域は、１つ以上のサブＦＨ帯域で構成されることができる。
【００３３】
ミラーリング：ＲＵは、サブＦＨ帯域内で中央のサブキャリア又は中央のＲＵを基準にして左から右に及び右から左に対称的にホッピングされる。
【００３４】
ホッピング時点：割り当てられたＲＵをホッピングするか又はミラーリングする時点を意味する。ホッピング又はミラーリングを適用する方式に基づいて、ＲＵは、次のような周期を有する。
【００３５】
１．イントラサブフレームホッピング及びインターサブフレームホッピング（Intra-subframe hopping & inter-subframe hopping）を支援する場合に、この周期は、スロットである。
【００３６】
２．インターサブフレームホッピングだけを支援する場合に、この周期は、１つのサブフレームである。
【００３７】
「第１の実施形態」
本発明の第１の実施形態は、セル別に異なるミラーリングオン／オフパターンに従って、ミラーリングをターンオンするか又はターンオフする方法を提案する。できるだけ異なるセルに対しては異なるミラーリングオン／オフパターンを使用し、同一の時点でセル間に同一のミラーリングが適用される確率を低減させることは、セル間の干渉をランダム化する効果を最大にする。
【００３８】
図５Ａ及び図５Ｂは、本発明の第１の実施形態による方法を説明するための図である。図５Ａは、ハイブリッド自動再送要求（Hybrid Automatic Retransmission request：以下、“ＨＡＲＱ”と称する。）動作と関係のないスロット基盤のミラーリングを示す図であり、図５Ｂは、ＨＡＲＱプロセス別に独立的にミラーリングを実行する方法を示す図である。
【００３９】
図５Ａを説明すると、セル５０１及びセル５０２（セルＡ及びセルＢ）が存在する。イントラサブフレームホッピングを支援すると仮定したため、ホッピング周期は、スロット単位となる。スロット単位で、セルＡ内では、各ホッピング時点において、オン（ｏｎ）、オン、オン、オフ（ｏｆｆ）、オン、オフ、オフ、オフ、．．．のパターン５０３でミラーリングを実行し、セルＢ内では、オン、オフ、オン、オン、オフ、オフ、オン、オン、．．．のパターン５１２でミラーリングを実行する。
【００４０】
セルＡにおいて、ＲＵ５０４は、ホッピング時点ｋでＵＥ Ａに割り当てられる。次のホッピング時点（ｋ＋１）でＵＥ Ａに対してミラーリングがオンとなるため、ＵＥ Ａは、スロット（ｋ＋１）でＲＵ５０５を使用する。ホッピング時点（ｋ＋３）でミラーリングがオフとなるため、ＵＥ Ａは、スロット（ｋ＋３）で前のスロット（ｋ＋２）で使用したＲＵと同一のＲＵ５０６を使用してデータを送信する。同様に、ホッピング時点（ｋ＋６）でミラーリングがオフとなるため、ＵＥ Ａは、スロット（ｋ＋６）で、前のスロット（ｋ＋５）で使用されたＲＵと同一のＲＵ５０７を使用してデータを送信する。
【００４１】
同一の方式で、セルＢにおいて、ＲＵ５０８は、スロットｋでＵＥ Ｂに割り当てられる。次のホッピング時点（ｋ＋１）でミラーリングがオフとなるため、ＵＥ Ｂは、スロット（ｋ＋１）でＲＵ５０９を使用する。ホッピング時点（ｋ＋３）でミラーリングがオンとなるため、ＵＥ Ｂは、スロット（ｋ＋３）でＲＵ５１０を使用する。同様に、ホッピング時点（ｋ＋６）でミラーリングがオンとなるため、ＵＥ Ｂは、スロット（ｋ＋６）でＲＵ５１１を使用する。
【００４２】
このように、セル別に異なるパターンでホッピング時点ごとにミラーリングがオン又はオフとなる。したがって、異なるセル内のＵＥが所定のスロットで同一のＲＵを使用することができるが、次のスロットで同一のＲＵを使用する異なるセルの確率は、異なるミラーリングオン／オフパターンの使用により減少される。例えば、ＲＵ５０４及び５０８は、スロットｋで、セルＡ内のＵＥ Ａ及びセルＢ内のＵＥ Ｂにそれぞれ割り当てられる。ＵＥ ＢがセルＡに近くある場合には、ＵＥ Ｂは、ＵＥ Ａと相当に干渉する可能性がある。しかしながら、ＵＥ Ａが次のホッピング時点（ｋ＋１）でミラーリングをターンオンするので、ＵＥ Ａは、スロット（ｋ＋１）でＲＵ５０５を使用してデータを送信し、他方、ＵＥ Ｂがミラーリングをターンオフするので、ＵＥ Ｂは、前のスロットと同一のＲＵ５０９を使用してデータを送信する。したがって、ＵＥ Ａ及びＵＥ Ｂは、スロット（ｋ＋１）で相互に異なるＲＵを使用する。
【００４３】
一方、図５Ｂに示すミラーリング方法は、ミラーリングオン／オフパターンがセル別に異なって適用されるという点で図５Ａと類似し、ミラーリングを適用する際に前のスロットで使用されたＲＵが基準となるのではなく、同一のＨＡＲＱプロセスに属しているＲＵが基準となるという点で図５Ａとは異なる。すなわち、図５Ｂにおいて、セル５１３（セルＡ）に位置したＵＥは、ホッピング時点ｋでミラーリングがオンとなる。したがって、ＵＥは、前のスロット（ｋ−１）で使用したＲＵがミラーリングされる代わりに、同一のＨＡＲＱプロセスの前のスロット（ｋ−ＲＴＴ＋１）で使用したＲＵ５１７がミラーリングされたＲＵ５１８を使用する。ＲＴＴは、ラウンドトリップタイム（Round Trip Time）を示し、送信されたデータに対する応答が否定応答（ＮＡＣＫ）であり、再送信されたデータに対する応答が肯定応答（ＡＣＫ）である場合に初期送信にかかる時間として定義される。したがって、ＲＵ５１８及び５１９を使用して送信されたデータは、ＲＵ５１６及び５１７を使用して送信されたデータの再送信バージョンであるか、又はＲＵ５１６及び５１７を使用して送信されたデータと同一のＨＡＲＱプロセスに属している。上記の通りに、ＨＡＲＱ ＲＴＴ基盤ミラーリングは、初期送信及び再送信の際に異なるＲＵを使用するミラーリングオン／オフパターンの定義を容易にする。しかしながら、この長所にもかかわらず、各ＨＡＲＱプロセスに対する異なるミラーリングオン／オフパターンの管理は、複雑度を増加させる。これに関連して、ミラーリングオン／オフパターンは、次のように決定される。
【００４４】
（１）所定のシーケンスに従って、ホッピング時点ごとにミラーリングのオン／オフを行う。このシーケンスは、ホッピングのためのＲＵの位置を示すのではなく、ミラーリングがオンとなるか又はオフとなるかを示すのに必要とされる。したがって、このシーケンスは、２つの値で構成される。一般的に、バイナリシーケンスは、０又は１で構成される。
【００４５】
（２）少なくとも隣接セル間には相互に異なるパターンを適用することにより、隣接セル間のＲＵ衝突を最小化するように複数のシーケンスを生成し、各セル別に割り当てる。例えば、ウォルシュコードのような直交コードのセットは、セル別に割り当てられ、各セルは、各ホッピング時点でコード値０又は１に従ってミラーリングのオン／オフを決定する。あるいは、各セルは、セル別にそれぞれ異なるシード（Seed）値を有する擬似雑音（Pseudo Noise：ＰＮ）シーケンスに従ってミラーリングオン／オフを決定することができる。前者の方法に比べて、後者の方法は、任意のセル間のランダム化を増加させ、したがって、異なるセルにおいてＲＵが同一の方式でホッピングするのを最小化する。下記では、ＰＮシーケンスに基づく方法の例を挙げて本発明の第１の実施形態について説明する。
【００４６】
ＰＮシーケンス値を生成するためには、セル別に特定の（cell-specific）シードが使用され、同一のＰＮシーケンス値を得るためには、同一のセル内のＵＥは、同一のタイミング情報を受信しなければならない。このタイミング情報は、絶対的な時間と現在の時間との間の差又はシステムフレーム番号（system frame number：ＳＦＮ）のような共通時間フレームカウントとして示されることができる。
【００４７】
図６は、本発明の第１の実施形態によるミラーリングのオン／オフを決定するＵＥの動作を示すフローチャートである。ＵＥからデータを受信するために、基地局は、同一の動作を実行することができる。
【００４８】
図６を参照すると、基地局がＵＥに対して所定のＲＵをスケジューリングする場合に、ＵＥは、ステップ６０１でＰＮシーケンス値を生成し、ステップ６０２でこの生成されたＰＮシーケンス値を検査する。このＰＮシーケンス値が０である場合に、ＵＥは、ステップ６０４で、ミラーリングをターンオフする。このＰＮシーケンス値が１である場合に、ＵＥは、ステップ６０３でミラーリングをターンオンする。ステップ６０５で、ＵＥは、ステップ６０３又はステップ６０４で決定されたミラーリングオン／オフに従って、次のデータ送信のためのＲＵの位置を選択する。ＵＥは、ステップ６０６で、この選択されたＲＵを用いてデータを送信する。
【００４９】
ミラーリングを実行すると、全ＦＨ帯域の中心を基準にして両側のＲＵが対称的にホッピングするので、次のスロットで使用する新たなＲＵは、前のスロットで使用したＲＵに関する情報に基づいて検出されることができる。このミラーリングは、式（１）として表現される。
【００５０】
【数１】
2014180063.tif 000003
【００５１】
ここで、ｒは、ミラーリングの基準となるＲＵを示す。このミラーリングの基準は、図５Ａにおいては、前のスロットで使用されたＲＵであり、図５Ｂにおいては、同一のＨＡＲＱプロセスの前のスロットで使用されたＲＵである。Ｈ（ｒ）は、１つのスロットの間にミラーリングの基準がミラーリングされたＲＵを示す。ＮＦＨは、ＦＨ帯域に属しているＲＵの総数を示す。
【００５２】
図７は、本発明の第１の実施形態によるＵＥのブロック図である。
【００５３】
図７を参照すると、データシンボル生成器７０３は、送信されるデータシンボルを生成する。この際、送信時間間隔（Transmission Time Interval：ＴＴＩ）ごとに送信可能なデータの量は、基地局スケジューリングにより決定される。直並列（Ｓ／Ｐ）変換器７０４は、このデータシンボルのシーケンスを並列シンボルシーケンスに変換する。ＤＦＴプロセッサー７０５は、ＳＣ-ＦＤＭＡの送信のために、この並列シンボルシーケンスを周波数信号に変換する。ＤＦＴサイズは、データシンボル生成器７０３から生成されたデータシンボルの数と同一である。マッパー７０６は、データ送信制御器７０２から受信されたＲＵ情報に基づいて、この周波数信号を、ＵＥに割り当てられた周波数リソースにマッピングする。この際、データ送信制御器７０２は、スケジューリングされたＲＵ情報及びミラーリングオン／オフ情報に基づいてこのＲＵ情報を生成する。各セルは、ＰＮシーケンスによる異なるミラーリングオン／オフパターンを有する。したがって、ＰＮシーケンス生成器７０１が必要である。上述した方法に従って、ＰＮシーケンス生成器７０１の出力値を用いてデータが抽出されるＲＵを決定する。ＩＦＦＴプロセッサー７０７は、このマッピングされた信号を時間領域の信号に変換する。並直列（Ｐ／Ｓ）変換器７０８は、送信のために、この時間信号を直列信号に変換する。
【００５４】
図８は、本発明の第１の実施形態による基地局装置の構成を示すブロック図である。
【００５５】
図８を参照すると、Ｓ／Ｐ変換器８０７は、受信された信号を並列信号に変換し、ＦＦＴプロセッサー８０６は、この並列信号を周波数領域の信号に変換する。デマッパー８０５は、アップリンクスケジューラ８０２により定められた各ＵＥに関するＲＵ割当情報に基づいて、異なるＵＥの周波数信号をデマッピングする。アップリンクスケジューラ８０２は、ミラーリングオン／オフパターンに基づいて、スケジューリングされたＲＵ情報及びミラーリングオン／オフ情報を使用してＵＥ別ＲＵ情報を生成する。各セルが異なるミラーリングオン／オフパターンを有するために、ＰＮシーケンス生成器８０１が必要である。上述した方法に従って、ＰＮシーケンス生成器８０１の出力値を用いてデータが抽出されるＲＵを決定する。ＩＤＦＴプロセッサー８０４は、ＵＥ１のこのデマッピングされた信号を時間領域の信号に変換する。Ｐ／Ｓ変換器８０８は、この時間領域の信号を直列信号に変換する。データシンボルデコーダ８０３は、ＵＥ１から受信されたデータを復調する。
【００５６】
「第２の実施形態」
サブＦＨ帯域間のホッピングオン／オフは、ミラーリングオン／オフと組み合わされると共に、データ送信のためのＲＵの位置は、各セルが異なるパターンを有するように組合せの中の１つを選択することにより決定される。すなわち、全システム周波数帯域のリソースは、ＦＨ帯域とＦＳ帯域とに分けられ、ＦＨ帯域で十分な周波数ホッピング利得を提供し、ＦＳ帯域で割当て可能な周波数帯域を十分に得るためのチャネル構成を提案する。
【００５７】
図９は、本発明の第２の実施形態によるチャネル構成を示す図である。
【００５８】
図９を参照すると、サブＦＨ帯域９０１及び９０３は、全周波数帯域の両側に定義され、サブＦＨ帯域９０１及び９０３間の中央周波数帯域は、ＦＳ帯域９０２として定義される。この場合に、ＦＨ帯域９０２を使用するＵＥは、サブＦＨ帯域９０１及び９０３にホッピングすることにより、十分な周波数ホッピング利得を得ることができる。また、ＦＨ帯域９０２の周波数が、連続的な周波数リソース割当てを最大化できるように、連続して構成されているので、最大送信率を増加させることができる。
【００５９】
次に、上述したチャネル構成で単一キャリア特性を考慮して、周波数ダイバーシティ利得を十分に得るのと同時に、可変的なＲＵ割当てを可能にするために、各ＦＨ帯域内のサブＦＨ帯域間のホッピング及びミラーリングを実行する方法について説明する。また、本発明の第１の実施形態で行われたように、隣接セル間の干渉ランダム化利得を最大化するために、セル別に特定のパターンに従って、ホッピング時点ごとにサブＦＨ帯域間のホッピングのオン／オフ及びミラーリングのオン／オフを適用する。
【００６０】
サブＦＨ帯域間のホッピングのオン／オフ及びミラーリングのオン／オフは、＜表１＞に示すように４つの組合せが可能である。ホッピング時点ごとにこれら組合せの中の１つを選択し、異なるパターンでこの選択された組合せを使用して、セル別にホッピング又は／及びミラーリングを適用する。
【００６１】
【表１】
2014180063.tif 000004
【００６２】
図１０Ａ乃至図１０Ｄは、本発明の第２の実施形態に従う方法を示した図である。
【００６３】
図１０Ａ及び図１０Ｂは、イントラＴＴＩホッピングがセル１００１及びセル１００７（セルＡ及びセルＢ）で支援されることを仮定したので、ホッピング周期は、スロット単位となる。
【００６４】
図１０Ａ及び図１０Ｂを参照すると、セルＡに対して３-１-４-３-２-１-２-３の順序の組合せが選択され、セルＢに対しては３-４-２-１-３-２-１-４の順序の組合せが選択される。
【００６５】
すなわち、セルＡがホッピング時点ｋでＲＵ１００２を使用しても、ホッピング時点（ｋ＋１）では、組合せ１に従って、サブＦＨ帯域間のホッピング及びミラーリングによりＲＵ１００５を選択する。次のホッピング時点（ｋ＋２）では、組合せ４に従って、ミラーリングを適用せずサブＦＨ帯域間のホッピングだけを実行することにより、ＲＵ１００３を選択する。ホッピング時点（ｋ＋４）では、組合せ２に従って、サブＦＨ帯域間のホッピング及びミラーリングをすべて適用しないので、セルＡは、ＲＵ１００４を選択する。
【００６６】
セルＢは、ホッピング時点ｋでセルＡに使用された同一のＲＵ１００８を選択する。セルＢは、組合せ１に従ってサブＦＨ帯域間のホッピング及びミラーリングを介してＲＵ１００５を選択するセルＡに比べて、組合せ４に従って、ミラーリングを適用せずサブＦＨ帯域間のホッピングだけを介してＲＵ１００９を選択する。セルＢ内の他のＵＥがスロット（ｋ＋１）でＲＵ１００５と同一のＲＵを使用することができるが、同一のＵＥとの衝突による干渉よりは、むしろ時点ごとに異なるＵＥからの干渉の方が、さらに良い干渉ランダム化利得を提供することができる。
【００６７】
図１０Ｃ及び図１０Ｄにおいて、上記のようなサブＦＨ帯域間のホッピング及びミラーリングは、前のホッピング時点で使用されたＲＵの代わりに、同一のＨＡＲＱプロセスの前のデータ送信に使用されたＲＵを基準にして実行される。
【００６８】
図１０Ｃを参照すると、ＲＵ１０１３は、ホッピング時点（ｋ−１）で使用したＲＵを基準にしてサブＦＨ帯域間のホッピングを実行するのではなく、同一のＨＡＲＱプロセスの前のデータ送信に使用したＲＵ１０１４を基準にしてサブＦＨ帯域間のホッピングを実行する。ホッピング時点ｋでは、ＲＵ１０１４を基準にしたサブＦＨ帯域間のホッピングをオンし、ミラーリングをオフする組合せ４が設定されており、したがって、ＲＵ１０１３は、ホッピング時点ｋで選択される。また、ホッピング時点（ｋ＋１）では組合せ３が選択されたので、ＲＵ１０１３を基準にしたサブＦＨ帯域間のホッピングをオフし、ミラーリングをオンすると、ＲＵ１０１２が選択される。
【００６９】
次に、所定のシーケンスを使用してサブＦＨ帯域間のホッピングのオン／オフとミラーリングのオン／オフとの組合せを選択する方法について説明する。
【００７０】
（１）このシーケンスは、ホッピングのためのＲＵの位置を示すためのものではなく、サブＦＨ帯域間のホッピングオン／オフとミラーリングオン／オフとの４通りの組合せのみを決定するためのものであるので、４通りの値を有するシーケンスを使用する。一般的に、４つ（quaternary）のシーケンスを使用するか、又は２つのバイナリシーケンスを生成して組み合わせると、４通りの組合せを生成することができる。この際、このシーケンスは、従来の方法で生成されることができ、したがって、ここでは、この方法の具体的な説明を省略する。
【００７１】
（２）少なくとも隣接セル間には相互に異なるパターンを適用することにより、隣接セル間のＲＵ衝突を最小化するように複数のシーケンスを生成し、各セル別に割り当てる。例えば、ウォルシュコードのような直交コードのセットは、セル別に１つずつ割り当てられ、各セルは、各ホッピング時点でシーケンス値に従って組合せを選択する。あるいは、各セルは、セル別に特定のシード値を有するＰＮシーケンスに従って組合せを選択することができる。この方法は、第２の実施形態で説明した方法に比べて、セル間のランダム化を増加させ、したがって、相互に異なるセルにおいてＲＵが同一の方式でホッピングすることを最小化する。下記では、ＰＮシーケンスに基づく方法の例を挙げて本発明の実施形態について説明する。
【００７２】
ＰＮシーケンス値を生成するためには、セル別に特定のシードが使用され、同一のＰＮシーケンス値を得るためには、同一のセル内のＵＥは、同一のタイミング情報を受信しなければならない。このタイミング情報は、絶対的な時間と現在の時間との間の差又はＳＦＮのような共通時間フレームカウントとして示されることができる。
【００７３】
図１１は、本発明の第２の実施形態によるＵＥの動作を示すフローチャートである。基地局がＵＥからデータを受信する場合には同一の動作を実行する。
【００７４】
図１１を参照すると、基地局がＵＥに対して特定のＲＵをスケジューリングする場合に、ＵＥは、ステップ１１０１でＰＮシーケンス値を生成し、ステップ１１０２で、このＰＮシーケンス値が１、２、３、又は４であるかを検査する。このＰＮシーケンス値が１である場合に、ＵＥは、ステップ１１０３で、ミラーリングオンとサブＦＨ帯域間のホッピングオンとの組合せを選択する。このＰＮシーケンス値が２である場合に、ＵＥは、ステップ１１０４で、ミラーリングオフとサブＦＨ帯域間のホッピングオフとの組合せを選択する。このＰＮシーケンス値が３である場合に、ＵＥは、ステップ１１０５で、ミラーリングオフとサブＦＨ帯域間のホッピングオンとの組合せを選択する。このＰＮシーケンス値が４である場合に、ＵＥは、ステップ１１０６で、ミラーリングオンとサブＦＨ帯域間のホッピングオフとの組合せを選択する。ステップ１１０７で、ＵＥは、この選択された組合せに従って、ミラーリング及び／又はホッピングによりデータ送信のためのＲＵを選択する。ＵＥは、ステップ１１０８で、この選択されたＲＵを用いてデータを送信する。
【００７５】
本発明の第２の実施形態による送信機装置及び受信機装置は、ＲＵの位置を決定するように、ＰＮシーケンス生成器７０１及び８０２が４つの値１乃至４の中の１つを生成し、この生成された値をデータ送信制御器７０２及びアップリンクスケジューラ８０２に提供することを除外して、本発明の第１の実施形態による送信機装置及び受信機装置と同一の構成を有する。
【００７６】
「第３の実施形態」
図１２は、本発明の第３の実施形態によるチャネル構成を示す図である。
【００７７】
図１２に示すような複数のサブＦＨ帯域が存在し、ホッピングがこのサブＦＨ帯域間で常に発生するシステムの場合に、セル別に異なるパターンに従ってミラーリングのオン／オフを決定するようにする方法を提案する。この際に、セル別にそれぞれ異なるミラーリングオン／オフパターンの使用は、この異なるセルにおいて同一の時点でミラーリングを実行する確率を低減させ、したがって、セル間の干渉のランダム化を最大にすることができる。
【００７８】
図１３及び図１４は、本発明の第３の実施形態による方法を説明するための図である。具体的に、図１３は、ＨＡＲＱとは無関係にミラーリングを実行する方法を示し、図１４は、ＨＡＲＱプロセス別にミラーリングを実行する方法を示す。
【００７９】
図１３を説明すると、セル１３０１及びセル１３１１（セルＡ及びセルＢ）の両方がイントラサブフレームホッピングを支援すると仮定したため、ホッピング周期は、スロット単位となる。セルＡ内では、各ホッピング時点で、オン、オン、オフ、オフ、オン、オフ、オフ、オフ、．．．のパターン１３１０でミラーリングを実行し、セルＢ内では、オン、オフ、オフ、オン、オフ、オフ、オン、オン、．．．のパターン１３２０でミラーリングを実行する。
【００８０】
サブＦＨ帯域＃１内のＲＵ１３０２がセルＡにおいてホッピング時点ｋでＵＥに割り当てられる場合に、常にサブＦＨ帯域間にホッピングが適用されるために、次のホッピング時点（ｋ＋１）でサブＦＨ帯域＃２へのホッピングが発生し、ミラーリングパターン１３１０に従ってミラーリングされる。したがって、ＵＥは、スロット（ｋ＋１）でＲＵ１３０３を使用する。次のホッピング時点（ｋ＋２）では、ＵＥは、サブＦＨ帯域＃１へのホッピング及びミラーリングオフを介してＲＵ１３０４を選択する。次のホッピング時点（ｋ＋３）で、サブＦＨ帯域＃２へのホッピングが発生し、ミラーリングがオフとなるため、ＵＥは、スロット（ｋ＋３）でＲＵ１３０５を使用する。
【００８１】
セルＢは、セルＡとは異なるミラーリングオン／オフパターンを定義する。具体的には、セル別に対応するホッピング時点ごとに異なる方式でミラーリングをオン／オフする。セルＡ及びセルＢが所定のホッピング時点で同一のＲＵを選択することができるが、本発明の第３の実施形態は、２つのセルが次のホッピング時点で同一のＲＵを選択する可能性を低減させる。
【００８２】
例えば、所定の時間の間に、同一のＲＵ１３０２及び１３１２がセルＡ内のＵＥ Ａ及びセルＢ内のＵＥ Ｂにそれぞれ割り当てられる場合に、ＵＥ ＢがセルＡの近くに位置すると、ＵＥ Ａは、ホッピング時点ｋにおいて、ＵＥ Ｂにより多くの量の干渉を受ける可能性がある。しかしながら、セルＡが次のホッピング時点（ｋ＋１）でサブＦＨ帯域間のホッピング及びミラーリングの両方を実行するので、ＵＥ Ａは、スロット（ｋ＋１）でＲＵ１３０３を使用してデータを送信し、他方、セルＢがサブＦＨ帯域間のホッピングを実行した後にミラーリングを適用しないので、ＵＥ Ｂは、スロット（ｋ＋１）でＲＵ１３１３を使用してデータを送信する。したがって、ＵＥ Ａ及びＵＥ Ｂは、スロット（ｋ＋１）で相互に異なるＲＵを使用し、これにより、同一のＵＥからの連続的な干渉を避けることができる。
【００８３】
一方、図１４に示したミラーリング方法は、サブＦＨ帯域間のホッピングを実行した後にミラーリングし、セル別に異なるミラーリングオン／オフパターンを使用する点で、図１３に示したものと同一であり、図１４に示したミラーリング方法は、前の送信時点で使用されたＲＵが基準となるのではなく、同一のＨＡＲＱプロセスでＲＵを基準にしてミラーリングされる点で図１３に示したものとは異なる。
【００８４】
すなわち、ホッピング時点（ｋ＋ＲＴＴ）で、セル１４０１（セルＡ）内のＵＥは、前のスロット（ｋ＋ＲＴＴ-１）で使用したＲＵを基準にしてミラーリングするのではなく、同一のＨＡＲＱプロセスのスロット（ｋ＋１）で使用したＲＵ１４０６を基準にしてミラーリングすることにより、ＲＵ１４０７を使用する。上記の通りに、ＨＡＲＱ ＲＴＴ基盤ミラーリングは、初期送信及び再送信の際に異なるＲＵを使用するミラーリングオン／オフパターンの定義を容易にし、これにより、干渉ダイバーシティ効果を最大にすることができる。
【００８５】
ＵＥは、ＲＵを選択する際に常にサブＦＨ帯域間のホッピングが発生することを除外して、本発明の第１の実施形態と同一の方式でミラーリングオン／オフを決定する。
【００８６】
本発明の第３の実施形態を実現するために、例えば、式（２）のようなホッピングパターン方程式の例を説明する。ＵＥは、このホッピングパターン方程式及びスケジューリングされたリソースブロックのインデックスを使用して、各送信時点で使用されるリソースブロックを認識する。式（２）は、サブ帯域間のホッピングのためのサブ帯域単位の循環移動（shifting）方式を使用する。
【００８７】
【数２】
2014180063.tif 000005
【００８８】
ここで、ＯＳは、ＵＥにスケジューリングされたリソースブロックが循環移動基準点からどのくらい離隔しているかを知らせるオフセット値を示し、ｆ_ｓは、スケジューリンググラント（grant：認可）により割り当てられたリソースブロックのインデックスを示し、ｈ（ｔ）は、スケジューリング時点（ｔ）でこのスケジューリングされたリソースブロックが循環移動される量を示す。ｆｈｏｐ（ｉ）は、ホッピング時点（ｉ）でホッピングを適用した後のリソースブロックのインデックスを示し、Ｎ_ＲＢは、データ送信に使用可能なリソースブロックの総数を示し、ＮＯ及びＮＳは、ホッピングを実行するＵＥにスケジューリング可能な最大リソースブロックの個数を示す。
【００８９】
リソースブロックの総数Ｎ_ＲＢがサブ帯域の個数Ｍの倍数ではない場合に、特定のサブ帯域は、残りのサブ帯域が有するリソースブロックの個数ＮＯより少ない量のリソースブロックの個数ＮＳを有する。式（２）は、１つのサブ帯域だけが少ない量のリソースブロックを有するように仮定したので、数（３）のようにＮＯ及びＮＳを求めることができる。
【００９０】
【数３】
2014180063.tif 000006
【００９１】
式（２）において、ｈ（ｉ）は、循環移動量を示すパラメータとして、｛０，１，．．．，Ｍ｝の中の１つの値を有し、ランダムシーケンスのビット値に従って選択される。ｈ（０）は、０である（ｈ（０）＝０）。ｍ（ｉ）は、ホッピング時点（ｉ）でのミラーリングオン／オフを決定するパラメータとして、｛０，１｝の中の１つの値を有し、ランダムシーケンスのビット値に従って選択されるか、又はランダムシーケンスのビット値に従って｛０，１，．．．，Ｍ｝の中の１つの値をｘ値として選択し、ｈ（ｉ）＝ｘ／２及びｍ（ｉ）＝ｘＭｏｄ（２）で決定されることができる。ｍ（ｉ）＝０である場合には、ミラーリングは、オフとなり、ｍ（ｉ）＝１である場合には、ミラーリングは、オンとなる。
【００９２】
式（２）をさらに詳細に説明するためには、このスケジューリングされたリソースブロックのスケジューリング時点でのオフセットＯＳは、まず、式（２）の第１の行により求められる。ＯＳは、循環移動されたリソースブロックが循環移動基準点からどのくらい離隔しているかを示す。
【００９３】
ＯＳを導入する理由は、次のようである。リソースブロックの総数Ｎ_ＲＢがサブ帯域の個数Ｍの倍数ではない場合に、このサブ帯域は、同一の量のリソースを有しないため、サブ帯域間のホッピングが正しく動作しないことが発生し得る。したがって、１つのサブ帯域が残りのサブ帯域の各々のリソースブロックの個数ＮＳよりさらに少ない量のリソースブロックの個数ＮＯを有するようにサブ帯域を構成し、ＯＳは、より少ない量のリソースブロックを有しているサブ帯域をＵＥに対して示すために使用される。
【００９４】
例えば、Ｎ_ＲＢが２２個であり、Ｍが４である場合に、サブ帯域は、１番目のサブ帯域が４個のリソースブロックを有し、残りのサブ帯域の各々が６個のリソースブロックを有するように構成されることができる。上記のようなサブ帯域の構成において、ＯＳが４より小さい場合に、ＵＥは、このスケジューリングされたリソースブロックが、より少ない個数のリソースブロックを有するサブ帯域に属していることを認識する。
【００９５】
式（２）の第１の条件文に従って、このスケジューリングされたリソースブロックは、オフセット値ＯＳに従って、リソースブロック０乃至ＮＳ−１に対して循環移動された後に、ＮＳ個のリソースブロック内でミラーリングされる。もしｍ（ｉ）＝０である場合には、ミラーリングは適用されない。
【００９６】
ＯＳがＮＳより大きい場合には、このスケジューリングされたリソースブロックは、正常なサブ帯域に属しているために、式（２）の２番目の条件文に従って循環移動が実行された後に、ＮＯ個のリソースブロック内でミラーリングが実行される。もしｍ（ｉ）＝０である場合には、ミラーリングは適用されない。
【００９７】
サブ帯域の構成に基づいて、複数のサブ帯域がＮＳ個のリソースブロックを有し、残りの複数のサブ帯域がＮＯ個のリソースブロックを有するように構成することもできる。例えば、サブ帯域の個数が４個である場合に、２つのサブ帯域の各々は、５個のリソースブロックを有し、他の２つのサブ帯域の各々は、６個のリソースブロックを含む。この実例は、オフセット値を用いてスケジューリングされたサブ帯域を示す式（２）の条件文を変更することにより、容易に実現されることができる。
【００９８】
「第４の実施形態」
セル別にランダムなパターンに従って、ミラーリングのオン又はオフを実行する場合に、連続的なミラーリングのオン／オフは、異なるセル内の同一のＲＵを用いたＵＥからのデータ送信の確率を増加させる。しかしながら、ＨＡＲＱプロセスによりデータが送信される場合に、送信時点ごとに十分な周波数ダイバーシティを得ることがチャネル品質の観点で好ましいという理由で、初期送信及び再送信のような少なくとも連続的なデータ送信状況の下では、ＵＥが異なるＲＵを選択するようにする必要がある。このために、本発明の第４の実施形態は、ランダムなミラーリングパターンを生成し、このランダムなミラーリングパターンに従ってミラーリングのオン／オフを決定する方法を、必要に応じて制限的に使用することを提案する。イントラサブフレームホッピング及びインターサブフレームホッピングの両方を支援する場合に、２つのホッピング方式の中の１つのホッピング方式に対しては、ホッピング時点ごとにミラーリングを常にオンとし、他の１つのホッピング方式に対しては、ランダムなミラーリングオン／オフパターンでミラーリングのオン／オフを行う。
【００９９】
図１５は、本発明の第４の実施形態により、インターサブフレームホッピングに対してはミラーリングを常にターンオンし、イントラサブフレームホッピングに対してはランダムなミラーリングオン／オフパターンに従ってミラーリングのオン／オフを決定する方法を示す図である。
【０１００】
本発明の第２の実施形態におけるように、サブＦＨ帯域は、システム周波数帯域の両側に位置し、ＦＨ帯域は、サブＦＨ帯域間の中央周波数帯域に介在する。本発明の第３の実施形態におけるように、周波数ダイバーシティ利得を得るために、ＲＵは、ホッピング時点ごとにサブＦＨ帯域間でホッピングする。
【０１０１】
図１５を参照すると、セル１５００（セルＡ）では、イントラサブフレームホッピング時点ごとにオン、オフ、オフ、．．．のパターンに従ってミラーリングが発生し、セル１５２０（セルＢ）では、イントラサブフレームホッピング時点ごとにオフ、オフ、オン、．．．のパターンに従ってミラーリングが発生する。
【０１０２】
セルＡにおいて、ＲＵ１５０２がホッピング時点（ｋ−ＲＴＴ）でＵＥに割り当てられる場合に、ＵＥは、次のホッピング時点（ｋ−ＲＴＴ＋１）でミラーリングオン／オフパターンに従ってミラーリングすることにより、ＲＵ１５０３を選択する。同一のＨＡＲＱプロセスの送信時点であるホッピング時点ｋでは、常にミラーリングを実行する。この同一のＨＡＲＱプロセスの前の送信時点で送信されたＲＵと異なる位置のＲＵを選択するためには、前のＨＡＲＱ送信時点の１番目のスロット（ｋ−ＲＴＴ）で使用したＲＵ１５０２をミラーリングすることによりＲＵ１５０４を選択する。次のホッピング時点（ｋ＋１）でミラーリングオン／オフパターンに従ってミラーリングがオフとなるので、ＵＥは、ＲＵ１５０５を選択する。この同一のＨＡＲＱプロセスの次の送信時点であるホッピング時点（ｋ＋ＲＴＴ）では、常にミラーリングを実行する。この前のＨＡＲＱ送信時点で送信されたＲＵと異なる位置のＲＵを選択するために、ＲＵ１５０４は、ＲＵ１５０６にミラーリングされる。次のホッピング時点（ｋ＋ＲＴＴ＋１）でこのミラーリングオン／オフパターンに従ってミラーリングがオフとなるので、ＵＥは、ＲＵ１５０７を選択する。
【０１０３】
同一の方式で、セルＢにおいて、ＲＵは、各イントラサブフレームホッピング時点でランダムなミラーリングオン／オフパターンに従ってミラーリングをターンオン／オフすることにより、他のサブＦＨ帯域にホッピングする。すなわち、ＲＵ１５０８がスロット（ｋ−ＲＴＴ）で使用される場合に、ＲＵ１５０９は、次のホッピング時点（ｋ−ＲＴＴ＋１）でこのミラーリングオン／オフパターンに従ってミラーリングをターンオフすることにより選択される。この次のＨＡＲＱ送信時点で同一のＨＡＲＱプロセスの前の送信時点で使用したＲＵ１５０８を基準にしてミラーリングを実行するので、ホッピング時点ｋでＲＵ１５１０を選択する。ホッピング時点（ｋ＋１）で、ミラーリングオン／オフパターンに従ってミラーリングがオフとなるので、ＲＵ１５１１を選択する。また、次のＨＡＲＱ送信時点でこの同一のＨＡＲＱプロセスの前の送信時点で使用したＲＵ１５１０を基準にしてミラーリングを実行するので、ホッピング時点（ｋ＋ＲＴＴ）でＲＵ１５１２を選択する。ホッピング時点（ｋ＋ＲＴＴ＋１）で、ミラーリングオン／オフパターンに従ってミラーリングがオンとなるので、ＲＵ１５１３を選択する。
【０１０４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１０５】
１０１    ＤＦＴプリコーダー
１０２    ＩＦＦＴプロセッサー
１０３    送信（ＴＸ）変調シンボル
１０４    マッパー（Mapper）
２０１    リソースユニット（Resource Unit：ＲＵ）
３０１、３０２、３０３、３０４    ＲＵ
４０１、４０２、４０３、４０４、４０５、４０６  ＲＵ
５０１    セルＡ
５０２    セルＢ
５０３、５１２    ミラーリングパターン
５０４、５０５、５０６、５０７、５０８、５０９、５１０、５１１    ＲＵ
５１３    セルＡ
５１４    セルＢ
５２６、５２７    ミラーリングパターン
５１６、５１７、５１８、５１９、５２０    ＲＵ
５２１、５２２、５２３、５２４、５２５    ＲＵ
７０１    ＰＮシーケンス生成器
７０２    データ送信制御器
７０３    データシンボル生成器
７０４    直並列（Ｓ／Ｐ）変換器
７０５    ＤＦＴプロセッサー
７０６    マッパー
７０７    ＩＦＦＴプロセッサー
７０８    並直列（Ｐ／Ｓ）変換器
８０１    ＰＮシーケンス生成器
８０２    アップリンクスケジューラ
８０３    データシンボルデコーダ
８０４    ＩＤＦＴプロセッサー
８０５    デマッパー
８０６    ＦＦＴプロセッサー
８０７    Ｓ／Ｐ変換器
８０８    Ｐ／Ｓ変換器
９０１、９０３    サブＦＨ帯域
９０２    ＦＨ帯域
１００１    セルＡ
１００７    セルＢ
１００２、１００３、１００４、１００５    ＲＵ
１００８、１００９、１０１２、１０１３、１０１４    ＲＵ
１２０１、１２０２    サブＦＨ帯域
１３０１    セルＡ
１３１１    セルＢ
１３１０、１３２０    ミラーリングパターン
１３０２、１３０３、１３０４、１３０５    ＲＵ
１３０６、１３０７、１３０８、１３０９    ＲＵ
１３１２、１３１３、１３１４、１３１５    ＲＵ
１３１６、１３１７、１３１８、１３１９    ＲＵ
１４０１    セルＡ
１４１０    セルＢ
１４０９、１４１７    ミラーリングパターン
１４０２、１４０３、１４０５、１４０６    ＲＵ
１４０７、１４０８、１４１１、１４１２    ＲＵ
１４１３、１４１４、１４１５、１４１６    ＲＵ
１５００    セルＡ
１５２０    セルＢ
１５０２、１５０３、１５０４、１５０５    ＲＵ
１５０６、１５０７、１５０８、１５０９    ＲＵ
１５１０、１５１１、１５１２、１５１３    ＲＵ
【図１】
2014180063.tif 000007
【図２】
2014180063.tif 000008
【図３】
2014180063.tif 000009
【図４】
2014180063.tif 000010
【図５Ａ】
2014180063.tif 000011
【図５Ｂ】
2014180063.tif 000012
【図６】
2014180063.tif 000013
【図７】
2014180063.tif 000014
【図８】
2014180063.tif 000015
【図９】
2014180063.tif 000016
【図１０Ａ】
2014180063.tif 000017
【図１０Ｂ】
2014180063.tif 000018
【図１０Ｃ】
2014180063.tif 000019
【図１０Ｄ】
2014180063.tif 000020
【図１１】
2014180063.tif 000021
【図１２】
2014180063.tif 000022
【図１３】
2014180063.tif 000023
【図１４】
2014180063.tif 000024
【図１５】
2014180063.tif 000025